(57)【要約】【課題】コンベヤ・ベルトを快速的で簡易的に着脱操作可能なコンベヤ・ベルトを備えるコンベヤ・デバイスを提供すること。【解決手段】カーブ・タイプ・ベース５と、二つの前記のベース５の先端部と尾端部に配設されるローリング・シャフト同士５４と、そのベース５の外周縁部に配設される活動板６と固着板７と、そのベース５の内周縁部に配設される保持体８と、前記の内外周縁部の間に配設されるベルト保持板４と、コンベヤ・ベルト９とを備えている。【選択図】図３。
0003106078.tif 000002
【実用新案登録請求の範囲】
【請求項１】
その外周縁部には複数のサポート部材同士が配設されるとともに、その内周縁部には内方包囲固着構造が配設されるようにしたベースと、
前記サポート部材の上下端に貫通固着され、且つそれぞれ軸受けを有する圧着ビームが延出配設されるようにした二枚の固着板同士と、
前記サポート部材の上下端を貫通し、それぞれが固着部材を介して前記固着板に固着され、且つ軸受けを有する圧着ビームが延出配設される二枚の活動板同士と、
フランジが前記の活動板と前記の固着板との間にある軸受けに挟持されるコンベヤ・ベルトと、を備えており、
前記の活動板と前記の固着板との間のそれぞれの固着部材を制御することによって上下層における活動板を緩ませることができるようにし、また、前記ベースの内周縁部に配設される固着構造を取り外すと、快速的に前記のコンベヤ・ベルトを取り外せるようにしたことを特徴とする、
快速的着脱式コンベヤ・ベルトを備えるコンベヤ・デバイス。
【請求項２】
前記の内方包囲固着構造として保持体を使用することを特徴とする、請求項１に記載の快速的着脱式コンベヤ・ベルトを備えるコンベヤ・デバイス。
【請求項３】
前記の内外周縁部の間にはベルト保持板が配設され、そのベルト保持板の内外周縁部の部分がそれぞれ前記の内方周縁部固着構造と前記それぞれのサポート部材のある側に配設されることを特徴とする、請求項１に記載の快速的着脱式コンベヤ・ベルトを備えるコンベヤ・デバイス。
【請求項４】
前記の内方周縁部固着構造として保持体を使用するとともに、固着ボルトによって前記のベースの内周縁部と前記ベルトの保持板との間に配設されることを特徴とする、
請求項３に記載の快速的着脱式コンベヤ・ベルトを備えるコンベヤ・デバイス。
【請求項５】
前記のコンベヤ・ベルトのフランジにはさらに二つの中空のエア・ルームが形成されることを特徴とする、請求項１に記載の快速的着脱式コンベヤ・ベルトを備えるコンベヤ・デバイス。
【請求項６】
前記固着部材が、螺着や係止や係合や押し抜きなどのいずれ一種の方式によって前記の活動板を固着することを特徴とする、請求項１に記載の快速的着脱式コンベヤ・ベルトを備えるコンベヤ・デバイス。
【請求項７】
前記固着ボルトが、螺着や係止や係合や押し抜きなどのいずれ一種の方式によって前記の保持体を固着することを特徴とする、請求項４に記載の快速的着脱式コンベヤ・ベルトを備えるコンベヤ・デバイス。
【請求項８】
前記の二枚の固着板同士の間にはさらに突き上げ打開機構が配設され、その突き上げ打開機構には連動ロッドを枢着しており、その連動ロッドの上下端には前記の固着部材が配設され、前記の上端部の固着部材を制御することによって前記の上下層の活動板同士を相対的に上下方へ変位させるようにコントロールでき、その操作によって前記コンベヤ・ベルトのフランジに対する挟持状態を解除させることを特徴とする、請求項１に記載の快速的着脱式コンベヤ・ベルトを備えるコンベヤ・デバイス。
【請求項９】
前記の突き上げ打開機構の作動方式としてスプリングによる付勢作用や気液圧の駆動方式やカムによる駆動方式などのいずれ一種を使用することを特徴とする、請求項８に記載の快速的着脱式コンベヤ・ベルトを備えるコンベヤ・デバイス。
【請求項１０】
前記の突き上げ打開機構には、突き上げ打開機構本体と、連動ロッドと、固着部材と、付勢部材と、第一と第二の固着ナット同士とを備えており、前記の本体の上下端部がそれぞれ前記の上下層の固着板に固着され、且つ前記のネジ式の連動ロッドが前記二枚の固着板同士より伸び出されるとともに、前記付勢部材が付設しており、また、前記の連動ロッドの上下端がそれぞれ前記の二枚の活動板同士より貫通し、且つ前記の連動ロッドには前記の第一と第二の固着ナット同士が螺着しており、且つ前記の連動ロッドの最上端と最下端にそれぞれ前記の二つの固着部材が螺着結合され、その中では、前記の付勢部材が前記の上層の活動板と前記第一の固着ナットとの間に付勢され、且つ前記の第二の固着ナットが前記下層の固着板の上側に位置決められ、また、前記の下端部の固着部材が前記下層の活動板の下側に位置決められるようにしたことを特徴とする、請求項８に記載の快速的着脱式コンベヤ・ベルトを備えるコンベヤ・デバイス。
【請求項１１】
前記二つの固着部材としてナットのタイプの手段を好適に使用することを特徴とする、請求項１０に記載の快速的着脱式コンベヤ・ベルトを備えるコンベヤ・デバイス。
【請求項１２】
前記上下層の活動板同士が一緒に緩まれたり、一緒に固着されたりしたように設計されることを特徴とする、請求項１に記載の快速的着脱式コンベヤ・ベルトを備えるコンベヤ・デバイス。
【考案の詳細な説明】
【技術分野】
【０００１】
本考案は、快速的着脱式コンベヤ・ベルトを備えるコンベヤ・デバイスに係わり、特にカーブ・ベルト・タイプのコンベヤ・デバイスに関するものであり、それが、コンベヤ・デバイスのコンベヤ・ベルトに対し点検保守や交換などを実行する場合に、快速的にそのコンベヤ・ベルトを取り外すことが出来、且つ時間を節約でき、且つ省力的であり、面倒さが少ないなどの複数の効果を有するデバイスに関するものである。
【背景技術】
【０００２】
一般に、例えば空港などに使用される荷物を運ぶためのコンベヤ・ベルトや製造ラインに利用されるコンベヤ・ベルトや物流運輸に利用されるコンベヤ・ベルトなどのカーブ箇所におけるコンベヤ・デバイス（一般には、カーブ・コンベヤ・ベルト・デバイスと称する）は、図１と図２に示すように、大体、レッグ・サポート・ロッド１が連結する外側板体１１と内側板体１２を有し、且つそれぞれの手段がそのコンベヤ・デバイスの外周縁部１３と内周縁部１４に配設され、且つその外側板体１１にはレール２５，２７とベルト・サポート板体２６とが配設され、且つその出入り口には先細り形のローリング・シャフト２が配設され、それぞれのローリング・シャフト２の両端部にはそれぞれ軸受けベース２１，２２が枢着されている。そのようなデバイスに対し、ベルト３を掛け、且つそのコンベヤ・ベルト３の外側のフランジの箇所に複数セットのガイド・ホイール・セット２４を配置することによって前記レール２５，２７を走行させるように設定することによって、湾曲走行の方式により前記のコンベヤ・ベルト３に作動させるものが多い。
【０００３】
しかしながら、前記の従来のコンベヤ・デバイスには、下記のような至急に改善される必要がある課題を有する。つまり、その一、周知のように、そのようなコンベヤ・デバイスのコンベヤ・ベルト３がその輸送の速度による課題と、輸送物による課題と、点検保守の欠如による課題と、コンベヤ・ベルト３自身の老化（使用年限）による課題などのため、点検保守または交換を実行する必要がある。しかしながら、図１と図２に示すように、その従来のコンベヤ・デバイスのガイド・ホイール・セット２４が前記のコンベヤ・ベルト３のフランジに配設されるので、コンベヤ・ベルト３の点検保守または交換を実行しようとする場合に、レール２５，２７と内側板体１２と内側の軸受けベース２２と、チェーン２３とを取り外す必要があり、且つローリング・シャフト２の内側を高く持ち上がる必要があり、それらのくどくどしい操作をしないと、コンベヤ・ベルト３を取り外すことができない。また、そのコンベヤ・ベルト３を取り外してから、前記のガイド・ホイール・セット２４を一々と取り外して新たなコンベヤ・ベルトに取り付ける必要がある。これらの操作は、多くの添付部材を取り外す必要があるとともに、複雑な技術の素養を有しなければならなく、そのため、極めて面倒的であるとともに、かかる時間が長くなってしまい、且つ使用するツールも多くあるなどとの課題を有している。
【０００４】
また、図２に示すように、そのコンベヤ・ベルト３がガイド・ホイール・セット２４を利用して剛性を有するレール２５，２７において走行をし、その走行中に、前記のコンベヤ・ベルト３がよく輸送物を載置するため、跳ねたり、揺れたりし、且つ高速に走行する場合に、前記のガイド・ホイール・セット２４とレール２５，２７とが衝撃と摩擦を生じて騒音を大幅に向上させるようになってしまうような不都合の点を有している。
【０００５】
そのため、本考案の考案者は、前記のそれぞれの課題が解消される必要があると存じて、研究開発を進めるとともに、学術の運用を合せて極めた結果、とうとう設計が合理的で前記のそれぞれの課題を効果的に解消可能な本考案の“快速的着脱式コンベヤ・ベルトを備えるコンベヤ・デバイス”を提出するに至った。
【考案の開示】
【考案が解決しようとする課題】
【０００６】
本考案は、コンベヤ・デバイスにおけるコンベヤ・ベルトを快速的に取り外し及び組立てられる、高効率的であるとともに、操作が容易である“快速的着脱式コンベヤ・ベルトを備えるコンベヤ・デバイス”を提供することをその主要な解決しようとする課題とする。
【０００７】
また、本考案は、コンベヤ・ベルトの走行途中で跳ねたり揺れたりすることを生じさせないようにすることによって、騒音を減少させることをその第二の解決しようとする課題とする。
【課題を解決するための手段】
【０００８】
前記の目的を図るために、本考案による“快速的着脱式コンベヤ・ベルトを備えるコンベヤ・デバイス”においては、外周縁部に直交するように複数のサポート部材同士が設けられるとともに、内周縁部に固着構造を備えるベースと、二つのそれぞれ前記のサポート部材の上下端を貫通して固定されるとともに、それぞれ軸受けを有する圧着ビームが延出形成される固着板と、二つの前記のサポート部材の上下端を貫通するとともに、それぞれ軸受けを有する圧着ビームが延出形成される活動板と、フランジが前記の活動板と前記の固着板との間の軸受けに挟持されるコンベヤ・ベルトと、を備えており、その中では、前記の二つの活動板同士が固着部材を介して前記固着板同士に固着されるようにした。
【０００９】
前記の活動板同士と前記の固着板同士との間のそれぞれの固着部材をコントロールすることによって、前記の上下層における活動板同士を緩ませたりすることができ、また、前記のベースの内周縁部における内周縁部固着構造を取り外すと、前記のコンベヤ・ベルトを快速的に取り外すことができる。
【考案の効果】
【００１０】
本考案による快速的着脱式コンベヤ・ベルトを備えるコンベヤ・デバイスは、従来のコンベヤ・ベルトに対し着脱操作を実施する場合に生じる時間と手数が多くかかることや、面倒さが多くあることなどの課題を解消でき、且つ従来のコンベヤ・ベルトの跳ねたり揺れたりする場合の課題と、騒音が高すぎる場合などの課題を効果的に克服解消することができる。
【考案を実施するための最良の形態】
【００１１】
本考案の特徴と技術手段をさらに詳しく解明するために、以下に添付図面を参照しながら、本考案の優れる実施の形態を詳細的で具体的に説明する。
図３と図４に示すように、本考案は、一種の“快速的着脱式コンベヤ・ベルトを備えるコンベヤ・デバイス”を提供し、そのものには、主に、カーブ・タイプ・ベース５と、二つの前記のベース５の先端部と尾端部に配設されるローリング・シャフト同士５４（図においては単にその一つのローリング・シャフトを開示する）と、そのベース５の外周縁部に配設される活動板６と固着板７と、そのベース５の内周縁部に配設される保持体８と、前記の内外周縁部の間に配設されるベルト保持板４と、コンベヤ・ベルト９とを備えている。
【００１２】
前記のベース５の外周縁部には直交するように複数本のサポート部材同士５３が配設され、それぞれのサポート部材同士５３の上下端部にはそれぞれ固着板７が貫通配設されており、また、それぞれに活動板６が貫通配設されており、前記の固着板７には、前記の活動板孔部６１と相互に対応し合う孔部を有し、それらの箇所へ前記のサポート部材５３の上下端を貫通配設させ、また、前記の固着板７には前記の活動板における固着孔部６２と相互に対応し合う固着孔部が形成され、複数の固着部材１００によって前記の活動板６を前記の固着板７に固着する。
【００１３】
また、それぞれの活動板６と固着板７とが上下に対称しあうとともに、内周縁部へ突出延伸する複数の圧着ビーム同士（活動板６における圧着ビーム６３のみに符号をつけ、固着板７の圧着ビームについてはその符号をつけることを省略する）を備えており、活動板６のそれぞれの圧着ビーム６３と固着板７のそれぞれの圧着ビームとに、すべて相互に上下方に対称しあう軸受け６４（固着板７の軸受けについては符号をつけることを省略する）配設され、それらの部材の作用によって、図５と図６に示すように、前記のコンベヤ・ベルト９のフランジ９１を挟持できる。
【００１４】
また、図３ないし図５に示すように、前記のベース５の内外周縁部とそれらの二つのローリング・シャフト同士５４との間には、ベルト保持板４が配設され、そのベルト保持板４の内周縁部には枠部４１が形成され、その枠部４１を介して前記の保持体８の上縁部に保持される（図５と図７参照）。他に、前記のベルト保持板４の外周縁部には固着フレーム４２を有し、それによってベース５の外周縁部のそれぞれのサポート部材５３のある側に固定される。
【００１５】
また、図５と図６に示すように、前記の二つのローリング・シャフト同士５４の間に配設されるとともに、前記のベルト保持板４を包囲するコンベヤ・ベルト９がフランジ９１を介してそれぞれ上下層にあるそれぞれの対称しあう軸受け６４に挟持され、そのため、コンベヤ・デバイスが安定にそのコンベヤ・ベルト９を連動させて湾曲する方式により次々へと走行させるようにすることができる。
【００１６】
また、図６に示すように、前記のコンベヤ・ベルト９のフランジ９１の箇所には二つの中空状のエア・ルーム同士９２が形成されており、それらのエア・ルーム同士９２が前記の上下方に対称しあうように配設される軸受け同士からなる接触部分に位置づけられる場合に、前記のコンベヤ・ベルト９の走行中の跳ねたり揺れたりするような運動を効果的に吸収できる。
【００１７】
また、図５に示すように、そのベース５の下方にはレッグ部材５１が配設され、そのベース５とレッグ部材５１との間には駆動用の駆動部材５２が配設されている。
【００１８】
前記に説明した本考案の構造のように、そのコンベヤ・ベルト９を挟持するためのそれぞれの圧着ビームが既に整えて活動板６と固着板７に配設されるので、コンベヤ・ベルト９に対し保守点検や交換を実行しようとする場合に、単に活動板６と固着板７との間のそれぞれの固着部材１００を緩めばよく、簡易に上下層の活動板６にがたがたした態様に形成させることができ、コンベヤ・ベルトを挟持するフランジ９１部分をがたがたした態様になるように操作することができるので、単に少数の固着部材１００を緩むだけで、活動板６を緩めたりさせることができ、その活動板６を緩めさせると、活動板６におけるすべての圧着ブームと軸受け６４が一回に全部緩められたりし、そのため、手数が少なく、快速的に操作を完成できる。また、保持体８と枠部４１を取り外し、且つベース５の間のそれぞれの固着ボルト１０１を取り外すと、保持体８を下ろすことができる（即ち、コンベヤ・デバイスの内周縁部固着構造を取り外すことができる）。こうすると、快速的に、且つ簡易的に、前記のコンベヤ・ベルト９を取り外すことができる。また、前記のコンベヤ・ベルトのフランジ９１の箇所には、二つの中空状のエア・ルーム同士９２が形成されるとともに、それらの二つの中空状のエア・ルーム同士９２が前記の軸受けの上下対称して挟持される接触部分に位置するので、前記コンベヤ・ベルト９が走行途中で跳ねたり揺れたりすることを生じる現象をなくすことができる。
【００１９】
また、図４と図５に示すように、前記のコンベヤ・デバイスの外周縁部には飾りカバー５５が配設され、その飾りカバー５５が前記のベース５に固着され、また、前記のコンベヤ・デバイスの内周縁部にも飾りカバー８１が配設され、その飾りカバー８１が前記のベース５と前記の保持体８に固定される。こうすると、そのコンベヤ・デバイスの内外周縁部には遮蔽用の飾りカバーが配設されて保護と外見修飾の機能を発揮できる。
【００２０】
もちろん、前記のそれぞれの固着部材１００と固着ボルト１０１とが図に示すように螺着の方式によって固着作用を発揮することを選択使用できるほか、他の、例えば、係合固定方式や係止固定方式や押し抜き固定方式などのことも好適に使用でき、それらの固定方式を好適に選択して前記の活動板６と保持体８に実施できる。
【００２１】
また、図８と図９に示すように、本考案は、前記の固着部材１００によって前記活動板６を固着し、または緩めることができるほか、さらに突き上げ打開機構５６を設けて前記の上下層の活動板６，６を突き上げ打開してもよく（この場合では、前記の固着部材１００を使用して前記の活動板６を固着する必要はなくなり、二つの固着部材５６２，５６６によって取り替えるようにする）、その操作によってすべての上下方の圧着ビーム６３，６３を連動させて分かれさせることができ、そうすると、コンベヤ・ベルト９を取り外す作業が順調に実行できるようになっている。また、前記の突き上げ打開機構５６が前記の上下層の固着板同士７，７の間に配設され、ネジ式の連動ロッド５６１と、二つの固着部材５６２，５６６と、付勢部材５６３と、第一と第二の固着ナット同士５６４，５６５とを備え、その中では、前記の突き上げ打開機構５６の本体が中空状に形成され、その上下端部にはそれぞれ二つの固着板同士７が固着され、その連動ロッド５６１が前記の二つの固着板同士７と前記の本体の中空部を貫通し、且つ付勢部材５６３が付設されている。また、前記の連動ロッド５６１の上下端部にはそれぞれ前記の二つの活動板同士６が配設され、その連動ロッド５６１には、第一と第二の固着ナット５６４，５６５が螺着（螺合後に、またインサート・ピンによって固定する）され、且つナット式の下端部固着部材５６６が螺着され、且つ他のナット式の上端部固着部材５６２が螺着固定され、且つそれらの上下端部の固着部材５６２，５６６がそれぞれ前記の連動ロッド５６１の最上端と最下端とに螺着接合されており、その弾性部材５６３が前記上層活動板６と前記第一の固着ナット５６４との間に付勢され、且つ前記の第二の固着ナット５６５が前記下層固着板７の上側に位置し、また、前記の下端部の固着部材５６６が前記の下層の活動板６の下側に位置し、こうすると、その突き上げ打開機構５６が前記二つの活動板６同士に対し連動を実行できる。
【００２２】
図８に示すように、上端部の固着部材５６２を螺合の方式によって操作と制御を実行する場合に、前記の連動ロッド５６１を上昇させて前記の下層の活動板６を連動させて上方へ向けって前記の下層の固着板７に隣接する位置まで移動させることができる。また、さらにネジを進めさせると、勢いに従って前記の上層の活動板６を下方へ移動させて前記の上層の固着板７と隣接させるようにし、同時に前記の付勢部材５６３が収縮して前記の上下方の圧着ビーム同士６３と軸受け同士６４を制御して（図４参照）、前記コンベヤ・ベルト９を緊密的に挟持するように連動作動させる。
【００２３】
図９に示すように、逆の方向へ向かって前記の固着部材５６２を螺旋させ、取り外す場合に、前記の動作が逆に実行され、そのため、前記の上下層の活動板６，６を連動して分かれさせることができ、且つ前記の上下方の圧着ビーム６３とその軸受け６４を制御してそのコンベヤ・ベルト９を放させることができる（図４参照）。そのため、単に螺旋脱出の操作によって少数の固着部材５６２を制御することによって、前記付勢部材５６３の弾性回復力を利用して前記の上下層の活動板同士６，６を突き上げ打開でき、それらの上下活動板同士６，６が突き上げ打開されると、数量が多い圧着ビーム同士６３と軸受け同士６４が一緒にコンベヤ・ベルト９に対する挟持のことを放ち、コンベヤ・ベルト９に対し快速的に着脱可能な機能を有するようになるとともに、自動的に前記の上下層の活動板同士６，６を突き上げ打開させる機能をも有する。
【００２４】
もちろん、前記の突き上げ打開機構５６の作動方式として付勢部材による付勢作用を利用できるほか、気液圧作動方式やカムによる作動方式などをも好適に採用できる。
【００２５】
また、前記に説明したのは、単に本考案の実施可能な実施の形態に過ぎなく、本考案の主張範囲を狭義的に局限するものではなく、本考案の明細書と図面に開示されるそれぞれの技術の要旨に基づいて実施される他の改造や変更や一部転用などのものもすべて本考案の主張範囲内に納入されるべきことが言うまでもないことである。
【図面の簡単な説明】
【００２６】
【図１】従来のコンベヤ・デバイスの構造の飾りカバーを含む場合を示す一部断面図である。(飾りカバーを含む)
【図２】従来のコンベヤ・デバイスの一部の構造の飾りカバーを有しない場合を示す斜視図である。(飾りカバーを含まない)
【図３】本考案の構造を示す一部斜視図である。
【図４】図３の場合の組立斜視図である。
【図５】本考案の組立完成後の場合を示す側面図である。
【図６】図５の一部の構造を示す拡大断面図である。
【図７】図５の他の部分の構造を示す拡大断面図である。
【図８】本考案の突き上げ打開機構を増設する場合の緩める前の様子のことを示す断面図である。
【図９】本考案の突き上げ打開機構を増設する場合の緩める後の様子のことを示す断面図である。
【符号の説明】
【００２７】
１        レッグ保持ロッド
２        ローリング・シャフト
３        コンベヤ・ベルト
４        保持板
５        ベース
６        活動板
７        固着板
８        保持体
９        コンベヤ・ベルト
１１      外側板体
１２      内側板体
１３      外方包囲構造
１４      内方包囲構造
２１      軸受けベース
２２      軸受けベース
２３      チェーン
２４      ガイド・ホイール・セット
２５      レール
２６      保持板
２７      レール
４１      枠部
４２      固着フレーム
５１      レッグ
５２      駆動部材
５３      サポート部材
５４      ローリング・シャフト
５５      飾りカバー
５６      突き上げ打開機構
６１      孔部
６２      固定孔部
６３      圧着ビーム
６４      軸受け
８１      飾りカバー
９１      フランジ
９２      中空状のエア・ルーム
１００    固着部材
１０１    固着ボルト
５６１    連動ロッド
５６２    固着部材
５６３    付勢部材
５６４    第一の固着ナット
５６５    第二の固着ナット
５６６    固着部材
【図１】
0003106078.tif 000003
【図２】
0003106078.tif 000004
【図３】
0003106078.tif 000005
【図４】
0003106078.tif 000006
【図５】
0003106078.tif 000007
【図６】
0003106078.tif 000008
【図７】
0003106078.tif 000009
【図８】
0003106078.tif 000010
【図９】
0003106078.tif 000011